(57)【特許請求の範囲】
【請求項１】
セパレータ／電解質アセンブリと、
前記セパレータ／電解質アセンブリの第１の表面に配される第１のエネルギー貯蔵部分と、
前記セパレータ／電解質アセンブリの第２の表面に配される第２のエネルギー貯蔵部分と、
前記第１のエネルギー貯蔵部分上に配される第１の金属被覆圧電薄膜と、
前記第２のエネルギー貯蔵部分上に配される第２の金属被覆圧電薄膜と、
前記第１の金属被覆圧電薄膜と前記第２の金属被覆圧電薄膜との間に接続されるダイオードと、
を備え、
前記第１のエネルギー貯蔵部分は第１の電極を有し、前記第２のエネルギー貯蔵部分は第２の電極を有し、
前記第１のエネルギー貯蔵部分は、前記第１の金属被覆圧電薄膜と、前記セパレータ／電解質アセンブリの前記第１の表面との間に位置し、
前記第２のエネルギー貯蔵部分は、前記第２の金属被覆圧電薄膜と、前記セパレータ／電解質アセンブリの前記第２の表面との間に位置する、
装置。
【請求項２】
前記第１の電極は第１の活性炭層を含み、前記第２の電極は第２の活性炭層を含む、請求項１に記載の装置。
【請求項３】
前記第１の電極はリチウム金属酸化物薄膜を含み、前記第２の電極は黒鉛層を含む、請求項１に記載の装置。
【請求項４】
前記ダイオードは前記装置と一体の薄膜である、請求項１から３のいずれかに記載の装置。
【請求項５】
前記ダイオードは、前記第１の金属被覆圧電薄膜および前記第２の金属被覆圧電薄膜の外部に接続される、請求項１から３のいずれかに記載の装置。
【請求項６】
前記セパレータ／電解質アセンブリは、液体電解質が中に含浸しているポリマー構造体を備える、請求項１から５のいずれかに記載の装置。
【請求項７】
前記ポリマー構造体はポリプロピレンを含み、前記液体電解質は、テトラフルオロボラート塩を含む、請求項６に記載の装置。
【請求項８】
前記液体電解質は、テトラエチルアンモニウムテトラフルオロボラートを含む、請求項６または７に記載の装置。
【請求項９】
前記第１の金属被覆圧電薄膜および前記第２の金属被覆圧電薄膜はそれぞれ、アルミニウムが両面に配されるＰＶＤＦの層を構成する、請求項１から８のいずれかに記載の装置。
【請求項１０】
前記第１の金属被覆圧電薄膜は、アルミニウムが両面に配されるＰＶＤＦの層を構成し、前記第２の金属被覆圧電薄膜は、銅が両面に配されるＰＶＤＦの層を構成する、請求項１から８のいずれかに記載の装置。
【請求項１１】
前記セパレータ／電解質アセンブリ、前記第１のエネルギー貯蔵部分、前記第２のエネルギー貯蔵部分、前記第１の金属被覆圧電薄膜、および前記第２の金属被覆圧電薄膜のうち少なくとも１つに接続したコントローラと、プロセッサと、メモリとをさらに備える、請求項１から１０のいずれかに記載の装置。
【請求項１２】
請求項１から１１のいずれかに記載の装置を備えた電子デバイス。
【請求項１３】
前記電子デバイスは、手持ち式の携帯型デバイス、装着型デバイス、電話、カメラ、タブレット、ビデオ／音声デバイス、ナビゲーションデバイス、ゲーミングデバイス、メッセージ伝達デバイス、ウェブブラウザ、または前述のものの組み合わせのいずれかである、請求項１２に記載の電子デバイス。
【請求項１４】
ハイブリッドエネルギー生成および電力貯蔵セルを製造する方法であって、
第１の金属被覆圧電薄膜の片面に活性炭をコーティングすることと；
第２の金属被覆圧電薄膜の片面に活性炭をコーティングすることと；
前記第１及び第２の金属被覆圧電薄膜の間に、セパレータ／電解質アセンブリを、活性炭がコーティングされた面で挟まれるように配することと；
前記第１の金属被覆圧電薄膜における、活性炭がコーティングされていない面と、前記第２の金属被覆圧電薄膜における、活性炭がコーティングされていない面とを、間にダイオードを挟んで接続することと；
を含む、方法。
【請求項１５】
前記第１の金属被覆圧電薄膜における、活性炭がコーティングされている面、及び、前記第２の金属被覆圧電薄膜における、活性炭がコーティングされている面に、前記貯蔵されたエネルギーの放出を制御するコントローラを接続することをさらに含む、請求項１４に記載の方法。
【発明の詳細な説明】
【技術分野】
【０００１】
本明細書に開示される例示的な非限定的実施形態は、概して、電子デバイスおよび方法に関し、より詳細には、エネルギーを生成および貯蔵する電子ハイブリッド電力デバイスに関する。特定の実施形態およびその種々の態様は、再生可能かつ持続可能なエネルギー源が利用される携帯型電子デバイスに関する。
【背景】
【０００２】
エネルギーハーベスティングは、エネルギーが外部発生源（例えば、太陽エネルギーまたは運動エネルギー）から生じ、捕捉され、各種デバイスで後に使用するために貯蔵されるプロセスである。貯蔵されたエネルギーが使用されうるデバイスとしては一般に、装着型の電子機器およびセンサネットワーク等の小型自律デバイスが挙げられる。これらのデバイスは有線または無線であってよい。
【摘要】
【０００３】
以下の概要は単に例示であることが意図される。本概要は、特許請求の範囲を限定することを目的としていない。
【０００４】
一態様によると、装置は、セパレータ／電解質アセンブリと、前記セパレータ／電解質アセンブリの第１の表面に配置された第１のエネルギー貯蔵部分と、前記セパレータ／電解質アセンブリの第２の表面に配置された第２のエネルギー貯蔵部分と、前記第１のエネルギー貯蔵部分に配置された第１の金属被覆圧電薄膜と、前記第２のエネルギー貯蔵部分に配置された第２の金属被覆圧電薄膜とを備える。前記第１の金属被覆圧電薄膜に力が印加されると、圧電効果により、機械的歪みが電位に変換され、各エネルギー貯蔵部分は、前記第１のエネルギー蓄積部分および前記第２のエネルギー貯蔵部分において変換されたエネルギーを貯蔵し、後に前記第１のエネルギー貯蔵部分および前記第２のエネルギー貯蔵部分から電子デバイスへ放出する。
【０００５】
別の態様によると、方法は、装置において電圧を生成することを含み、前記装置は、セパレータ／電解質アセンブリと、前記セパレータ／電解質アセンブリの第１の表面に配置された第１のエネルギー貯蔵部分と、前記セパレータ／電解質アセンブリの第２の表面に配置された第２のエネルギー貯蔵部分と、前記第１のエネルギー貯蔵部分に配置された第１の金属被覆圧電薄膜と、前記第２のエネルギー貯蔵部分に配置された第２の金属被覆圧電薄膜とを備える。前記第１の金属被覆圧電薄膜に力が印加されると、圧電効果により、機械的歪みが電位に変換され、各エネルギー貯蔵部分は、前記第１のエネルギー貯蔵部分および前記第２のエネルギー貯蔵部分において変換された前記エネルギーを貯蔵し、貯蔵されたエネルギーを前記第１のエネルギー貯蔵部分および前記第２のエネルギー貯蔵部分から電子デバイスへ放出する。
【０００６】
別の態様によると、ハイブリッド電力デバイスを操作するための装置は、前記ハイブリッド電力デバイスにおいて電圧を生成する手段と、前記ハイブリッド電力デバイスにおいて生成されたエネルギーを貯蔵する手段と、貯蔵されたエネルギーを、前記エネルギーを貯蔵する手段から電子デバイスへ放出する手段とを備える。ハイブリッド電力デバイスを操作する手段は、貯蔵されたエネルギーの放出を制御する手段を備えてもよい。
【図面の簡単な説明】
【０００７】
前述の態様およびその他の特徴は、添付の図面と関連して以下の記述で説明される。
【０００８】
【図１】図１は、先行技術のリチウムイオン電池構造体のアセンブリの斜視図である。
【０００９】
【図２】図２は、先行技術の可撓性ファブリックのアセンブリの概略図である。
【００１０】
【図３Ａ】図３Ａは、スーパーキャパシタの形態のハイブリッド電力デバイスの略図である。
【００１１】
【図３Ｂ】図３Ｂは、図３Ａのスーパーキャパシタの等価充電回路の略図である。
【００１２】
【図４Ａ】図４Ａは、スーパーキャパシタとして実現されたフレキシブルハイブリッド電気化学セルの略図である。
【００１３】
【図４Ｂ】図４Ｂは、ハイブリッドリチウム電池として実現されたハイブリッド電力デバイスの略図である。
【００１４】
【図５Ａ】図５Ａは、プロトタイプハイブリッドスーパーキャパシタの静電容量挙動のサイクリックボルタモグラムである。
【００１５】
【図５Ｂ】図５Ｂは、プロトタイプハイブリッドスーパーキャパシタの充放電曲線のグラフ表示である。
【００１６】
【図６Ａ】図６Ａは、ステンレススチール製コイン型セルとして組み立てられたハイブリッドスーパーキャパシタの構成部品の分解斜視図である。
【００１７】
【図６Ｂ】図６Ｂは、ユーザの靴に実装されたスチール製コイン型セルの略図である。
【００１８】
【図７】図７は、電子デバイスにより後に使用されるエネルギーを収集して貯蔵する方法のフロー図である。
【発明を実施するための形態】
【００１９】
運動エネルギーハーベスティングは、人間の運動、低周波地震振動、もしくは音響ノイズによる膜の運動等の運動から、または熱、光、もしくは水流等の周囲環境発生源に由来する運動からエネルギーを捕捉する環境に優しい方法である。捕捉されたエネルギーは、後に例えば、充電式バッテリで使用するために貯蔵されてもよい。通常、充電式バッテリを充電するために使用するエネルギーは、ＡＣ電気を使用した充電器に由来する。しかしながら、用途によっては、バッテリ充電は困難であるかまたは可能でない場合がある。捕捉したエネルギーの貯蔵をせずとも、エネルギーハーベスティングは緊急事態において、例えば、従来の非常用電源の代替としてエネルギーを提供する手段として有用でありうる。
【００２０】
本明細書に開示される種々の例示的実施形態は、周囲環境発生源から収集された再生可能かつ持続可能なエネルギーに基づいて動作する携帯型および装着型電子デバイスに係る。このような携帯型および装着型電子デバイスとしては、手持ち式の携帯型デバイスおよび／または装着型デバイス（例えば、電話、カメラ、タブレット、ビデオ／音声デバイス、ナビゲーションデバイス、ゲーミングデバイス、メッセージ伝達デバイス、ウェブブラウザ、前述のものの組み合わせ等）が挙げられるが、これらに限定されない。このようなデバイスの使用に障害となるのは、収集されたエネルギーを貯蔵するために利用されるバッテリのサイズおよび重量であった。
【００２１】
図１を参照すると、先行技術のリチウムイオン電池構造体のアセンブリが全体を１００で示されており、以下、「バッテリ１００」と呼ぶ。バッテリ１００において、アノード層１０２およびカソード層１０４は、セパレータ層１０６の両側に配置される。アノード層１０２およびカソード層１０４は両方とも、電極活物質と、薄く可撓性の金属箔の形態の支持集電体とからなる。バッテリ１００において、アノード層１０２は銅箔にコーティングされた炭素薄膜であり、カソード層１０４はアルミニウム箔にコーティングされたリチウム金属酸化物薄膜である。アノード層１０２、カソード層１０４、およびセパレータ層１０６の材料は、それぞれの材料のスプールから供給され、ピンチローラ１０８を使用して組み合わされ、一体層１１０としてバッテリ１００を形成する。
【００２２】
図２を参照すると、先行技術の可撓性ファブリックのアセンブリが全体を２００で示されており、以下、「ファブリック２００」と呼ぶ。ファブリック２００は、上に充電可能なエネルギー貯蔵層２０４が配置されたエネルギー放出層２０２を備えた一体型薄膜ファブリック積層体である。任意の充電／再充電層２０６が充電可能なエネルギー貯蔵層２０４上に配置されてもよい。充電可能なエネルギー貯蔵層２０４（または任意の充電／再充電層２０６と組み合わされた充電可能なエネルギー貯蔵層２０４）は、外部発生源から周囲の位置エネルギー２２２を受け取り、受け取ったエネルギーを電気エネルギーに変換し、ファブリック２００に不可欠な電気エネルギーを貯蔵し、エネルギー２２４としてさまざまな方法で電気エネルギーを放出することができる。
【００２３】
図３Ａから図６を参照すると、本発明の例示的実施形態はエネルギーの生成および貯蔵に使用できるハイブリッド電力デバイスに係る。これらのハイブリッド電力デバイスは、２つの集電体と、電解質が含浸されたセパレータによって仕切られた電極とを備えた電気化学セル（例えば、バッテリまたはスーパーキャパシタ）である。このようなデバイスの一実施形態は、集電体にエネルギーハーベスティング層を組み込むことによって自動充電式バッテリまたはスーパーキャパシタを提供する。エネルギーハーベスティング層は、バッテリまたはスーパーキャパシタ内の分離できない内部部品であってもよく、それ自体がエネルギーハーベスティングおよびエネルギー貯蔵の両方のハイブリッド機能を有するモノリシックデバイスを具体化したものである。
【００２４】
運動からエネルギーを収集するためにエネルギーハーベスティング層を使用する際に、圧電効果に頼ることができる。圧電効果は、機械的歪みが電界に変換される材料を利用し、これを利用して電流または電圧を生成することによって、１つの構造体における充電能力および貯蔵能力の両方を提供する。ほとんどの圧電性電気発生源は、ミリワット単位の電力を生成する。これはほとんどのシステムの用途には一般に不十分でありうるが、無線自律デバイスおよび電源内蔵式メカニカルセンサのいくつかの種類には十分でありうる。
【００２５】
本明細書に開示されるハイブリッド電力デバイスの例示的実施形態では、集電体の一方または両方は薄い可撓性の金属被覆ポリフッ化ビニリデン（ＰＶＤＦ）薄膜で構成され、これは、機械的歪みエネルギーを使用して電荷を分離する能力を有し、このようにして生じた電荷はエネルギー貯蔵ユニットに貯蔵される。金属被覆ＰＶＤＦ薄膜は２つの機能、すなわち、機械的歪みを電気エネルギーに変換する機能（ＰＶＤＦ層）と集電体として作用する機能（金属層）とを有する。デバイスが機械的に圧迫されるか、折り曲げられるか、または別の方法で屈曲されると、集電体上にあるＰＶＤＦ薄膜は応力を受けることによって、電気化学セルを充電するための電荷ポンプとして機能する圧電電位を生じる。ＰＶＤＦを（先行技術に記述されているような）電気化学セルのセパレータとして使用する代わりに金属被覆ＰＶＤＦを集電体として使用することにより、２つのＰＶＤＦ層は、構造体内で一体化されてもよく、充電効率を２倍にできる。従来のバッテリおよびスーパーキャパシタの電極および処理方法を使用してもよく、これにより製造プロセスが全体として簡略化され、実用化が促され、全体的なコストパフォーマンスにつながる。
【００２６】
図３Ａから図６Ｂに示されるハイブリッド電力デバイスを製造するときの製造手順は、従来のバッテリまたはスーパーキャパシタの製造と同様である。ただし、金属箔集電体は金属被覆圧電薄膜に変更される。図２に示すファブリック２００にはあるような、バッテリを圧電層に接続し、その後バッテリと圧電層とを一緒に積層する余分なステップがない。上部電極層および下部電極層にある２つの外側金属電極はダイオード３０９を用いて接続されうる。これはロールツーロール積層後に行ってもよい。これは、製造を簡略化し、製造コストを下げることができる。圧電層は直接バッテリまたはスーパーキャパシタの集電体に配置されてよいため、収集されたエネルギーは直接、電気化学的に最小の抵抗損失で貯蔵されうるため、潜在的に損失の多い導体を介して２つの別個の部分が接続されているよりも効率的でありうる。
【００２７】
図３Ａを参照すると、ハイブリッドスーパーキャパシタの形態のハイブリッド電力デバイスの動作機構が全体を参照番号３００で示されており、以下、「スーパーキャパシタ３００」と呼ぶ。本明細書に記載される例示的実施形態は、スーパーキャパシタであることに限定されないが、これは、ハイブリッド電力デバイスの動作機構がバッテリを備えてもよいからである。スーパーキャパシタ３００は、電解質が含浸されたセパレータ３０２を備え、セパレータ／電解質アセンブリ３０４を画定する。第１の炭素層３０６により画定される第１電極は、セパレータ／電解質アセンブリ３０４の片面に配置され、第２の炭素層３０８により画定される第２電極はセパレータ／電解質アセンブリ３０４のもう一方の（例えば、反対側の）面に配置される。セパレータを作製できる材料としては、好適なポリマー、例えば、ポリプロピレン、ポリエチレン、ポリテトラフルオロエチレン（ＰＴＦＥ）、および任意の他の適切なポリマーが挙げられる。第１の金属被覆ＰＶＤＦ薄膜３１０は、第１の炭素層３０６に配置され、第２の金属被覆ＰＶＤＦ薄膜３１２は、第２の炭素層３０８に配置される。ＰＤＶＦ膜の金属被覆のために利用される材料としては、アルミニウムを挙げてもよい。金属被覆用のその他の材料としては、銅、クロム、金、ニッケル、銀、プラチナ、ロジウム、前述のもののいずれかの合金等が挙げられるが、これらに限定されない。電解質は、酸（例えば、硫酸（Ｈ２ＳＯ４））、アルカリ（例えば、水酸化カリウム（ＫＯＨ））、または塩（例えば、第４級ホスホニウム塩、過塩素酸ナトリウム（ＮａＣｌＯ４）、過塩素酸リチウム（ＬｉＣｌＯ４）、または六フッ化ヒ酸リチウム（ＬｉＡｓＦ６））を有する水性電解質であってよく、あるいは、有機電解質（例えば、アセトニトリル、プロピレンカーボネート、テトラヒドロフラン、ジエチルカーボネート、γ−ブチロラクトン、および第４級アンモニウム塩もしくはアルキルアンモニウム塩（例えば、テトラエチルアンモニウムテトラフルオロボラート（Ｎ（Ｅｔ）４ＢＦ４）もしくはトリエチル（メチル）テトラフルオロボラート（ＮＭｅ（Ｅｔ）３ＢＦ４）））を有する溶液、またはゲル電解質であってよい。ダイオード３０９は圧電薄膜上にある２つの外側金属電極に接続されてよく、複数回の変形／解放サイクルの下で一方向での電荷のポンピングを可能とする。ダイオード３０９は構造体内に組み込まれる薄膜タイプのものであってよく、または構造体に接続され、第１の金属被覆ＰＶＤＦ薄膜３１０および第２の金属被覆ＰＶＤＦ薄膜３１２の金属被膜表面の最外表面全体に接続される外部モジュールであってもよい。
【００２８】
第１の金属被覆ＰＶＤＦ薄膜３１０に力Ｆが印加されると、圧電電界が生じる。生じた電界がダイオード３０９のしきい電圧よりも大きい場合、ダイオード３０９は伝導する。両方の圧電層全体に生じた電界により、電解質−炭素電極の液体−固体界面それぞれで電荷分離が起こり、電解質によって直列接続された２つの二重層コンデンサを効果的に作り出す。圧力が解放された後、ダイオード３０９はオフになり、２つの電極間の電圧は存在しているまま残り、エネルギーは電極／電解質アセンブリ３０４／３０６に貯蔵される。繰り返しの圧力の印加は、第１の金属被覆ＰＶＤＦ薄膜３１０に繰り返し力Ｆを及ぼし、トリクル電荷を連続的にスーパーキャパシタ３００に供給して電荷をいっぱいなままで維持する。接続されたダイオード３０９と並列の金属被覆ＰＶＤＦ薄膜３１０、３１２は、従来のスーパーキャパシタ用のＤＣ電源のように動作する。
【００２９】
スーパーキャパシタ３００の動作は、スーパーキャパシタ３００の１つまたは複数の部分に接続されたコントローラ３２０によって制御されてもよい。特に、スーパーキャパシタ３００は、プロセッサ３２２およびメモリ３２４を有するコントローラ３２０に接続されてもよく、プロセッサ３２２はソフトウェア３２６を含み、コントローラ３２０は第１の金属被覆ＰＶＤＦ薄膜３１０および第２の金属被覆ＰＶＤＦ薄膜３１２の最も内側の金属被覆表面に接続されている。スーパーキャパシタ３００の制御は、生成されたエネルギーの量を調整すること、またはさまざまなパラメータに基づいて放出されるエネルギーの量を調整することを含んでよい。
【００３０】
図３Ｂを参照すると、図３Ａのスーパーキャパシタの等価充電回路が全体を３３０で示されており、以下、「等価回路３３０」と呼ぶ。等価回路３３０は、ダイオード３０９に直列接続されている第１の圧電素子３３４Ａおよび第２の圧電素子３３４Ｂ、第１の圧電素子３３４Ａおよび第２の圧電素子３３４Ｂに接続される出力３３５、ならびに出力３３５に並列接続されているキャパシタ／インダクタ３３６により画定されてよい。キャパシタ／インダクタ３３６は、並列のキャパシタ３３８および制限レジスタ３４０を備え、等価直列抵抗３４４およびコイル３４８と直列接続されている。
【００３１】
ここで図４Ａおよび図４Ｂを参照すると、ハイブリッド電力デバイスの構造および製造が示される。図４Ａにおいて、スーパーキャパシタ３００として実現されたフレキシブルハイブリッド電気化学セルの一例示的実施形態の構造は、セパレータ／電解質アセンブリ３０４と、セパレータ／電解質アセンブリ３０４上にある第１の活性炭層３０６および第２の活性炭層３０８とを備え、それぞれの活性炭層は電極として作用する。第１の金属被覆ＰＶＤＦ薄膜３１０および第２の金属被覆ＰＶＤＦ薄膜３１２は、それぞれ蒸着アルミニウムの層５０２により挟まれたＰＶＤＦの層５００により形成された金属被覆ＰＶＤＦ薄膜から形成されており、それぞれ、第１の炭素層および第２の炭素層に配置される。第１の炭素層３０６および第２の炭素層３０８はエネルギーを貯蔵するのに対し、第１の金属被覆ＰＶＤＦ薄膜３１０および第２の金属被覆ＰＶＤＦ薄膜３１２は、それぞれエネルギー生成アセンブリとして作用する。
【００３２】
さらに図４Ａを参照すると、スーパーキャパシタ３００を作製する一例示的実施形態では、活性炭インクが金属被覆ＰＶＤＦ薄膜にバーコートされ、電極を形成する。印刷された電極は次いで、１００℃で約１時間乾燥される。電解質に浸漬されるかまたは電解質が含浸されたポリプロピレンセパレータは２つの電極間に挟まれる。本明細書に開示される例示的実施形態では、１モルのＴＥＡＢＦ４水溶液が電解質として使用される。スーパーキャパシタ３００の試験中の対照として、集電体としてアルミ箔を有するスーパーキャパシタ（エネルギー生成部分のない構造）および電解質含侵セパレータにより仕切られた２つの金属被覆ＰＶＤＦ薄膜を有するセル（エネルギー貯蔵部のない構造体）がさらに作製され、スーパーキャパシタ３００と比較された。ダイオード３０９は集電体の内部（薄膜ダイオード）または外部（例えば、従来の半導体ダイオード）に接続されてよい。
【００３３】
図４Ｂにおいて、ハイブリッド電力デバイスの一例示的実施形態はハイブリッドリチウム電池５５０として実現され、これは、セパレータ／電解質アセンブリ５５２、その片面にあるリチウム金属酸化物薄膜５５４、およびその反対側面に配置された黒鉛層５５６を備えることにより、エネルギー貯蔵部分を画定する。蒸着アルミニウムの層５０２の間に挟まれるＰＶＤＦ薄膜５００はリチウム金属酸化物薄膜５５４上に配置され、蒸着銅の層５６２の間に挟まれるＰＶＤＦ薄膜５６０は黒鉛層５５６上に配置される。
【００３４】
ここで図５Ａおよび図５Ｂを参照すると、ＰＶＤＦ薄膜を有していても有していなくてもスーパーキャパシタ３００は電気化学的測定により試験したときに類似の静電容量挙動を示す。特に、図５Ａにおいて全体が６００で示されるサイクリックボルタモグラムは、電圧の関数としての電流の特性を示す。図５Ｂでは、グラフ６１０は、充電曲線６１２および放電曲線６１４を示し、スーパーキャパシタとしてハイブリッドデバイスが動作することを示している。
【００３５】
炭素系スーパーキャパシタ３００は、物理的にエネルギーを貯蔵し、リチウム電池と比較して化学変化も相転移も起こらない。充電／放電プロセスは、理論上は制限なく高速で何度も繰り返すことができる。このため、スーパーキャパシタ３００を、ハイブリッドエネルギー貯蔵装置として使用するにあたってリチウム電池よりも理想的な選択肢とすることができる。
【００３６】
ここで図６Ａを参照すると、自己充電式電気化学セル（例えば、スーパーキャパシタ３００）はステンレススチール製コイン型セル８００として組み立てられてもよい。各セル８００は、例えば、スーパーキャパシタ３００（セパレータ３０２と、上に金属被覆ＰＶＤＦ薄膜３１０、３１２が配置され、ダイオード３０９が組み込まれた電極３０６、３０８）を備え、スーパーキャパシタ３００は、波形ばね８０２および少なくとも１つのスペーサ８０４によって挟まれ、蓋８０８およびガスケット８０９により閉鎖可能な缶８０６に収容される。図６Ｂに示すように、１つまたは複数のステンレススチール製コイン型セル８００は、ユーザの靴８１０（例えば、踵）に実装されて、ユーザが歩行、ジョギング、またはランニングする間にエネルギーを収集できる。ステンレススチール製コイン型セル８００は予備または非常用電源として動作できる。
【００３７】
ここで図７を参照すると、電子デバイスにより後に使用されるエネルギーを収集して貯蔵する方法が全体を参照番号９００で示されており、以下、「方法９００」と呼ぶ。方法９００では、電圧が生成ステップ９１１においてスーパーキャパシタ３００を使用して生成される。生成された電圧は貯蔵ステップ９１４において、スーパーキャパシタ３００の第１のエネルギー貯蔵部分および第２のエネルギー貯蔵部分にエネルギーとして貯蔵される。例えば電子デバイスに電力を供給するためにエネルギーが必要とされるとき、エネルギーは放出ステップ９２４において放出される。生成ステップ９１１、貯蔵ステップ９１４、および放出ステップ９２４のいずれかまたはそのすべては、プロセッサ９１７（ソフトウェア９６８を含む）およびメモリ９５９を有するコントローラ９２８により独立して制御できる。例えば、生成ステップ９１１で生成される電圧の量は、貯蔵されたエネルギーの量が最大であればプロセッサ９１７により調整できる（例えば、減らされる）。加えて、デバイスへ放出されるエネルギーの量は、貯蔵エネルギーが完全になくなることを避けるために貯蔵エネルギーがある最小値未満であり生成されていなければ制限されうる。コントローラ９２８、プロセッサ９１７、メモリ９５９、およびソフトウェア９６８は、図３Ａに示されるコントローラ３２０、プロセッサ３２２、メモリ３２４、およびソフトウェア３２６に対応できる。
【００３８】
ハイブリッド電力デバイス（スーパーキャパシタ３００等）の例示的実施形態のいずれかにおいて、デバイスは従来の電力デバイス構造体（例えば、図１および図２に示される）よりも薄くなりうる。通常、薄膜バッテリおよびスーパーキャパシタでは、複数のアノード層、カソード層、およびセパレータ層が一緒に積層されて限られた空間内の容量を増加させる。図２に示される構造については、これは、別個行われなければならないことがあり、これにより、製造が複雑になり、デバイスの厚みが増加しうる。実際に、エネルギー生成およびエネルギー貯蔵は、通常２つの別個のユニットで完了することができ、いかなる電力システムのコストおよびサイズも増加しうる。
【００３９】
しかし、本明細書に開示される例示的実施形態では、エネルギーハーベスティング部およびエネルギー貯蔵部を一緒に積層することを実現するため、単位体積当たりの貯蔵容量を増加させることができる。さらに、本明細書に開示されるハイブリッド電力デバイスに関して、圧電薄膜それ自体が伝導性でない場合があるため、追加の金属被膜または追加の電気配線を使用して圧電薄膜をバッテリに接続できる。利用される場合、このような特徴は、余分な製造ステップで一般に生じうることであり、さらに、構造体全体の厚みを増加させうる。できるだけ薄いデバイスを得るために、多種多様な用途におけるデバイスの使用を可能にするために可撓性を増加させることが望ましい場合がある。
【００４０】
前述の例示的実施形態のいずれかでは、多数の利点が実現されている。第１に、自然な可撓性エネルギー貯蔵形態を活用してエネルギーを収集できる。特に、機械的変形、例えば、屈曲、打撃、および／または圧迫により生成されるエネルギーは直接電気化学セルに貯蔵できる。第２に、エネルギー変換効率を上げることができ、別個のエネルギー生成および貯蔵システムと比べるとバッテリの重量およびサイズを低減できる。第３に、従来のバッテリおよびスーパーキャパシタの電極およびセパレータの材料はこの設計において適用可能であり、これにより作製を簡単にし、コストを下げることができる。さらに、所望する場合、従来のバッテリおよびスーパーキャパシタの製造方法を使用できる。
【００４１】
エネルギー生成機能およびエネルギー貯蔵機能を１つのユニットに組み合わせることによって、本明細書の例示的実施形態に記載されるハイブリッド電力デバイスは、両方がより効率的であり、一緒に積層された別個のユニットを備えたシステムと比べて、重量、全体の体積、厚みの低減の利益を享受する。このようなシステムは、システムの任意の機械的変形、例えば、湾曲、振動、打撃等を利用することによって、エネルギー貯蔵およびエネルギーハーベスティングを組み合わせる。
【００４２】
本明細書に開示される例示的実施形態は、さまざまな範囲および規模にわたる広い用途を有し、多くの種類のデバイスに組み込まれてエネルギー自治に寄与できる。例えば、エネルギー貯蔵システムの可撓性を活用して、機械的変形を電子デバイスのさらなる充電のためのエネルギーに変換できる。さらに、振動運動から発生したエネルギーは、小型の低電力システム、例えば、センサ／アクチュエータおよびマイクロ電気機械システムに、ならびに生物医学的用途またはリモートセンシングまたはバッテリの再充電が難しい場合がある類似の用途に有用でありうる。本明細書に開示されるエネルギー貯蔵システムを利用可能な用途としては、衣料、衣服、紙製品（例えば、新聞紙工作品（ｆｕｎｃｔｉｏｎａｌ  ｎｅｗｓｐａｐｅｒ））、携帯型デバイス（例えば、柔らかい携帯型電子ガジェット）、玩具等が挙げられるが、これらに限定されない。その他の可能な用途としては、皮膚に付着される絆創膏の形態の薄く可撓性のエネルギー自律センサとしての使用が挙げられ、このようなセンサは、身体の状態、例えば、体温、血圧、心拍数等をモニタして、電荷ポンプが十分な量のエネルギーを蓄積させると（例えば、ユーザがその皮膚を動かし変形させる度に）、後に携帯型デバイスに無線通信できる。機械的変形が圧電効果を提供し、エネルギーが貯蔵され、その後回収できるその他の用途が可能であるため、本発明はこれに限定されない。
【００４３】
一例示的実施形態では、装置は、セパレータ／電解質アセンブリと、セパレータ／電解質アセンブリの第１の表面に配置された第１のエネルギー貯蔵部分と、セパレータ／電解質アセンブリの第２の表面に配置された第２のエネルギー貯蔵部分と、第１のエネルギー貯蔵部分に配置された第１の金属被覆ＰＶＤＦ薄膜と、第２のエネルギー貯蔵部分に配置された第２の金属被膜ＰＶＤＦ薄膜とを備える。ダイオードは第１および第２の圧電薄膜上にある第１および第２の外側金属電極間に接続されてよく、複数回の変形／解放サイクルの下で一方向での電荷のポンピングを可能とする。第１の金属被覆薄膜に力が印加されると、圧電電界が生じ、電荷分離がセパレータ／電解質アセンブリの界面で起こり、各エネルギー貯蔵部分はエネルギーを生成する。
【００４４】
装置において、セパレータ／電解質アセンブリは、液体電解質が中に含浸しているポリマー構造体を備えることができる。ポリマー構造体は、ポリプロピレンを含んでいてもよく、液体電解質は、テトラフルオロボラート塩を含むことができる。液体電解質は、テトラエチルアンモニウムテトラフルオロボラートを含むことができる。第１のエネルギー貯蔵部分および第２のエネルギー貯蔵部分のうち少なくとも１つは活性炭を含むことができる。第１のエネルギー貯蔵部分は、第１の活性炭層を含むことができ、第２のエネルギー貯蔵部分は、第２の活性炭層を含むことができる。第１の金属被覆薄膜および第２の金属被覆薄膜はそれぞれ、アルミニウムが両面に配置されたＰＶＤＦの層を構成してよい。第１のエネルギー貯蔵部分は、リチウム金属酸化物薄膜を含むことができ、第２のエネルギー貯蔵部分は、黒鉛層を含むことができる。第１の金属被覆薄膜は、アルミニウムが両面に配置されたＰＶＤＦの層を構成してよく、第２の金属被覆薄膜は、銅が両面に配置されたＰＶＤＦの層を構成してよい。装置は、セパレータ／電解質アセンブリ、第１のエネルギー貯蔵部分、第２のエネルギー貯蔵部分、第１の金属被覆薄膜、および第２の金属被覆薄膜のうち少なくとも１つに接続したコントローラと、プロセッサと、メモリとを含むことができる。装置は電子デバイスを備えてよく、この電子デバイスは、手持ち式の携帯型デバイス、装着型デバイス、電話、カメラ、タブレット、ビデオ／音声デバイス、ナビゲーションデバイス、ゲーミングデバイス、メッセージ伝達デバイス、ウェブブラウザ、または前述のものの組み合わせ等のいずれかであってよい。
【００４５】
別の例示的実施形態では、方法は、装置において電圧を生成することを含み、当該装置は、セパレータ／電解質アセンブリと、セパレータ／電解質アセンブリの第１の表面に配置された第１のエネルギー貯蔵部分と、セパレータ／電解質アセンブリの第２の表面に配置された第２のエネルギー貯蔵部分と、第１のエネルギー貯蔵部分に配置された第１の金属被覆薄膜と、第２のエネルギー貯蔵部分に配置された第２の金属被覆薄膜とを備え、第１の金属被覆薄膜に力が印加されると、圧電電界が生じ、電荷分離がセパレータの界面で起こり、各エネルギー貯蔵部分はエネルギーを生成する。本方法はまた、装置において電圧を生成することと、第１のエネルギー貯蔵部分および第２のエネルギー貯蔵部分において生成されたエネルギーを貯蔵することと、貯蔵されたエネルギーを第１のエネルギー貯蔵部分および第２のエネルギー貯蔵部分から電子デバイスへ放出することとを含む。
【００４６】
本方法は、少なくともプロセッサおよびメモリを有するコントローラを介して貯蔵されたエネルギーの放出を制御することをさらに含んでよい。生成した電圧の量はプロセッサによって調整されてよい。放出されるエネルギーの量は、貯蔵エネルギーが特定の量未満であれば制限されうる。
【００４７】
別の例示的態様では、ハイブリッド電力デバイスを操作する装置は、ハイブリッド電力デバイスにおいて電圧を生成する手段と、ハイブリッド電力デバイスにおいて生成されたエネルギーを貯蔵する手段と、貯蔵されたエネルギーを、エネルギーを貯蔵する手段から電子デバイスへ放出する手段とを備える。ハイブリッド電力デバイスを操作する手段は、貯蔵されたエネルギーの放出を制御する手段を備えてもよい。
【００４８】
別の例示的態様では、装置の１つまたは複数のプロセッサによって実行されたときに、装置において電圧を生成させること、装置に生成されたエネルギーを貯蔵すること、および貯蔵されたエネルギーを装置から電子デバイスへ放出することを少なくとも行わせる、１つまたは複数の命令の１つまたは複数のシーケンスを含む非一時的なコンピュータ可読記憶媒体。
【００４９】
上記記述は例示的なものに過ぎないことを理解すべきである。種々の代替物および変形物が当業者によって考案されうる。例えば、種々の従属クレームに列挙される特徴は、任意の好適な組み合わせで互いに組み合わせることができる。加えて、上記のさまざまな実施形態の特徴は選択的に組み合わせて新たな実施形態としてもよい。したがって、当該記述は、添付の特許請求の範囲の範囲に含まれるすべてのこのような代替物、変形物、および改変物を包含することが意図されている。
【図１】
0006416388.tif 000002
【図２】
0006416388.tif 000003
【図３Ａ】
0006416388.tif 000004
【図３Ｂ】
0006416388.tif 000005
【図４Ａ】
0006416388.tif 000006
【図４Ｂ】
0006416388.tif 000007
【図５Ａ】
0006416388.tif 000008
【図５Ｂ】
0006416388.tif 000009
【図６Ａ】
0006416388.tif 000010
【図６Ｂ】
0006416388.tif 000011
【図７】
0006416388.tif 000012